(57)【要約】【課題】電子表示デバイスへの表示情報の配布を簡便に管理することのできる情報処理システムを提供することを目的とする。【解決手段】情報処理システムは、電子表示デバイスを有する表示装置２ａ、２ｂと、表示装置２ａ、２ｂに向けて表示情報を出力するＰＣ３と、無線通信回線を介して表示装置２ａ、２ｂと接続されるとともに通信回線を介してＰＣ３と接続される転送装置１とを備えている。表示装置２ａは、予め自己に付与された固有の識別情報を、転送装置１を介してＰＣ３へ送信する。ＰＣ３は、表示装置２ａからの固有の識別情報と予め設定された処理手順とに基づいて表示情報および指令情報を決定するとともに、この決定した表示情報および指令情報を、転送装置１を介して表示装置２ａへ送信する。表示装置２ａは、ＰＣ３からの表示情報および指令情報に基づいて電子表示デバイスへの表示制御を行う。【選択図】図１
2006039708.tif 000002
【特許請求の範囲】
【請求項１】
無電源状態で表示内容を保持しかつ該表示内容を書換え可能な電子表示デバイスを有する表示装置と、
前記表示装置へ表示情報を出力する処理装置と、
を有し、
前記表示装置と前記処理装置とは無線通信により情報の送受信を行うとともに、
前記表示装置は、
予め自己に付与された固有の識別情報を前記処理装置へ送信し、
前記処理装置は、
前記表示装置からの固有の識別情報と予め設定された処理手順とに基づいて表示情報および指令情報を決定するとともに、この決定した表示情報および指令情報を前記表示装置へ送信し、
さらに、前記表示装置は、
前記処理装置からの表示情報および指令情報に基づいて前記電子表示デバイスへの表示制御を行う
ことを特徴とする情報処理システム。
【請求項２】
無電源状態で表示内容を保持しかつ該表示内容を書換え可能な電子表示デバイスを有する表示装置と、
前記表示装置に向けて表示情報を出力する処理装置と、
無線通信回線を介して前記表示装置と接続されるとともに通信回線を介して前記処理装置と接続される転送装置と、
を有し、
前記表示装置は、
予め自己に付与された固有の識別情報を、前記転送装置を介して前記処理装置へ送信し、前記処理装置は、
前記表示装置からの固有の識別情報と予め設定された処理手順とに基づいて表示情報および指令情報を決定するとともに、この決定した表示情報および指令情報を、前記転送装置を介して前記表示装置へ送信し、
さらに、前記表示装置は、
前記処理装置からの表示情報および指令情報に基づいて前記電子表示デバイスへの表示制御を行う
ことを特徴とする情報処理システム。
【請求項３】
予め固有の識別情報が付与され、無電源状態で表示内容を保持しかつ該表示内容を書換え可能な電子表示デバイスを有する複数の表示装置と、
指定された表示装置に向けて表示情報を出力する処理装置と、
無線通信回線を介して前記複数の表示装置と接続されるとともに通信回線を介して前記処理装置と接続され、前記無線通信回線を介して定期的に前記複数の表示装置に向けて固有の識別情報の問合わせを行う転送装置と、
を有し、
前記転送装置からの問合わせに応答した任意の表示装置は、
予め自己に付与された固有の識別情報を、前記転送装置を介して前記処理装置へ送信し、前記処理装置は、
前記任意の表示装置からの固有の識別情報と予め設定された処理手順とに基づいて表示情報および指令情報を決定するとともに、この決定した表示情報および指令情報を、前記転送装置を介して前記任意の表示装置へ送信し、
さらに、前記任意の表示装置は、
前記処理装置からの表示情報および指令情報に基づいて前記電子表示デバイスへの表示制
御を行う
ことを特徴とする情報処理システム。
【請求項４】
前記任意の表示装置は、
前記転送装置を介して、処理装置からの表示情報、および複写に関する条件を示す複写条件情報を含む指令情報を受信した場合に、前記複写条件情報に含まれる画像品質情報に基づいて前記表示情報を加工し、該加工後の表示情報を前記電子表示デバイスに表示することを特徴とする請求項３記載の情報処理装置。
【請求項５】
複写元の表示装置に表示されている複写元の表示情報を複写先の表示装置に表示させる場合、
前記複写元の表示装置は、
前記複写元の表示情報を、前記転送装置を介して前記処理装置へ送信し、
前記処理装置は、
前記複写元の表示装置からの複写元の表示情報と、複写に関する条件を示す複写条件情報を含む指令情報とを、前記転送装置を介して前記複写先の表示装置へ送信し、
前記複写先の表示装置は、
前記処理装置からの情報を受信した場合に、前記複写条件情報に含まれる画像品質情報に基づいて前記複写元の表示情報を加工し、該加工後の表示情報を前記電子表示デバイスに表示することを特徴とする請求項３記載の情報処理システム。
【請求項６】
前記任意の表示装置は、
前記転送装置を介して、処理装置からの表示情報、および複写に関する条件を示す複写条件情報を含む指令情報を受信した場合に、前記複写条件情報に含まれる複写回数を示す値が予め設定される閾値に達しているときは、受信した表示情報に関しては前記電子表示デバイスに表示しない
ことを特徴とする請求項３記載の情報処理システム。
【請求項７】
複写元の表示装置に表示されている複写元の表示情報を複写先の表示装置に表示させる場合、
前記複写元の表示装置は、
前記複写元の表示情報を、前記転送装置を介して前記処理装置へ送信し、
前記処理装置は、
前記複写元の表示装置からの複写元の表示情報と、複写に関する条件を示す複写条件情報を含む指令情報とを、前記転送装置を介して前記複写先の表示装置へ送信し、
前記複写先の表示装置は、
前記処理装置からの情報を受信した場合に、前記複写条件情報に含まれる複写回数を示す値に対して予め設定される値の加算または減算を実行し、この演算した後の複写回数の値が予め設定される閾値に達したときは、受信した表示情報に関しては前記電子表示デバイスに表示しない
ことを特徴とする請求項３記載の情報処理システム。
【請求項８】
前記転送装置は、
電磁波を送信する送信手段、
を備え、
前記複数の表示装置は、
前記送信手段からの電磁波を受信する受信手段と、
前記受信手段によって受信された電磁波を電力に変換する変換手段と、
前記変換手段によって変換された電力を蓄積する蓄積手段と、
を備え、
前記複数の表示装置は、前記蓄積手段に蓄積された電力を基に動作する
ことを特徴とする請求項３〜７の何れか一項に記載の情報処理システム。
【請求項９】
前記表示装置は、
着脱可能であって、かつ無線タグが配設され、無電源状態で表示内容を保持しかつ当該表示内容の更新が可能な電子表示デバイスと、
装着された前記電子表示デバイスに対する出力制御を行う制御手段を有する装置本体と、を備えたことを特徴とする請求項１〜８の何れか一項に記載の情報処理システム。
【請求項１０】
所定の画像を読み取る画像読取り装置を備え、
前記画像読取り装置は、
無線タグとの通信を行う無線タグ通信手段を備え、
前記電子表示デバイスに表示されている表示画像を読み取るときに、前記無線タグ通信手段によって当該電子表示デバイスに配設されている無線タグとの間で通信することにより当該タグ情報を取得し、読取った画像データを取得したタグ情報に基づいて画像処理することを特徴とする請求項９記載の情報処理システム。
【請求項１１】
前記処理装置は、
予め設定される処理手順を実行することにより、前記電子表示デバイスが着脱される前記装置本体の着脱の機構を制御する
ことを特徴とする請求項９記載の情報処理システム。
【請求項１２】
前記電子表示デバイスに対応する固有の識別情報をタグ情報として所有する無線タグが、当該電子表示デバイスに配設されている、
または、
前記電子表示デバイスおよび前記装置本体それぞれに対応する固有の識別情報をタグ情報として所有する無線タグが、当該電子表示デバイスおよび当該記装置本体に配設されている
ことを特徴とする請求項９記載の情報処理システム。
【請求項１３】
前記転送装置は、
固有の識別情報が付与された複数の転送装置で構成され、
前記処理装置は、
前記複数の転送装置に対応する複数の固有の識別情報を基に当該複数の転送装置を一元管理する
ことを特徴とする請求項３〜１２の何れか一項に記載の情報処理システム。
【請求項１４】
前記転送装置または前記表示装置は、
ユーザに対して警告を提示する警告手段を備えたことを特徴とする請求項３〜１３の何れか一項に記載の情報処理システム。
【請求項１５】
前記処理装置は、
予め設定された処理手順に対応するプログラムを実行することにより、前記表示装置に対する表示に関する情報処理および管理を行う複数の処理装置で構成され、
前記複数の処理装置それぞれが前記プログラムを実行することにより、前記複数の処理装置が連携して前記表示装置に対する表示に関する情報処理および管理を行う
ことを特徴とする請求項３〜１４の何れか一項に記載の情報処理システム。
【請求項１６】
前記画像読取り装置は、
通信回線を介して前記処理装置と接続されていることを特徴とする請求項１０記載の情報
処理システム。
【請求項１７】
前記処理装置と前記転送装置とが一体化されていることを特徴とする請求項２〜１６の何れか一項に記載の情報処理システム。
【請求項１８】
前記処理装置と前記画像読取り装置とが一体化されていることを特徴とする請求項１０または１６記載の情報処理システム。
【発明の詳細な説明】
【技術分野】
【０００１】
本発明は、可読性および可搬性が高く情報管理し易い電子表示デバイスを利用した情報処理システムに関するものである。
【背景技術】
【０００２】
従来、電子情報を可読性と可搬性の高い用紙に出力して見たい場合は、パーソナルコンピュータから、このパーソナルコンピュータと接続されたプリンタ、またはネットワークを介してこのパーソナルコンピュータと接続されたプリンタへ、その電子情報を送出するとともに印刷指示を行うことで、このプリンタによってその電子情報に対応した画像を用紙または電子ペーパー上に形成する、という利用形態のものがある。この利用形態は、個人利用される場合が多い。
【０００３】
また、用紙上に画像の形態で存在している情報（原稿画像）を個人用に利用する場合は、その原稿画像を複写機によって用紙にコピーするか、あるいは原稿画像を画像スキャナで読み取ることで電子情報化するとともに、この電子情報化された情報をプリンタから用紙へ出力する、という利用形態のものがある。
【０００４】
さらに、表示機能の付いた一体型の無線タグを物品に付与しておき、この無線タグに記憶されているタグ情報を取得することで、物品の在庫状況や配送状況を管理する利用形態のものがある（例えば、特許文献１）。
【０００５】
さらに、コンテンツ提供会社から提供されるコンテンツに対応するコンテンツコードを読み取り、これをペーパー状表示媒体に表示させる利用形態のものがある（例えば、特許文献２）。
【０００６】
さらには、画像データ中に、視覚的には感知できないような電子透かしを挿入するようにした利用形態のものがある（例えば、特許文献３）。例えば、著作権所有者を識別するために、電子透かしが挿入されることがある。
【特許文献１】特開２００２−２３６８９１号公報
【特許文献２】特開２００３−３３３００１号公報
【特許文献３】特開平９−１９１３９４号公報
【発明の開示】
【発明が解決しようとする課題】
【０００７】
しかしながら、上記従来の技術では、プリンタにより情報を用紙に出力し配布する場合にあっては、用紙に出力された情報が不要になったときは、その用紙が廃棄されることが多く、そのため紙（用紙）資源のムダになっているという問題点があった。
【０００８】
また、上記（特許文献１）に記載されたものでは、表示機能付無線タグにおける表示部の表示サイズを大きくすることができないという問題点があった。
【０００９】
さらに、上記（特許文献２）に記載されたものでは、電子データを所定の装置へ配布する場合は、無制限にデータを複製することができてしまう恐れがある。
【００１０】
さらに、上記（特許文献３）に記載されたものでは、画像データに「電子透かし」を付加して複写の制御を行うことが可能であるものの、個々の表示装置は、演算性能として、ノート型パーソナルコンピュータと同等の高性能な処理能力を有する必要があり、そのた
め装置自体が高価になるという問題点があった。また、安価な処理性能の部品で構成した場合は、その演算処理時間が長くなるという、性能およびコストと処理時間という両立しないトレードオフの問題点を有していた。
【００１１】
そこで、本発明は、電子表示デバイスへの表示情報の配布を簡便に管理することのできる情報処理システムを提供することを目的とする。
【００１２】
また、本発明は、電子表示デバイスへの表示情報の複製および配布を簡便に管理することのできる情報処理システムを提供することを目的とする。
【課題を解決するための手段】
【００１３】
この課題を解決するために、本発明の情報処理システムは、無電源状態で表示内容を保持しかつ該表示内容を書換え可能な電子表示デバイスを有する表示装置と、前記表示装置へ表示情報を出力する処理装置とを有し、前記表示装置と前記処理装置とは無線通信により情報の送受信を行うとともに、前記表示装置は、予め自己に付与された固有の識別情報を前記処理装置へ送信し、前記処理装置は、前記表示装置からの固有の識別情報と予め設定された処理手順とに基づいて表示情報および指令情報を決定するとともに、この決定した表示情報および指令情報を前記表示装置へ送信し、さらに、前記表示装置は、前記処理装置からの表示情報および指令情報に基づいて前記電子表示デバイスへの表示制御を行う構成としたものである。
【００１４】
また、この課題を解決するために、本発明の情報処理システムは、無電源状態で表示内容を保持しかつ該表示内容を書換え可能な電子表示デバイスを有する表示装置と、前記表示装置に向けて表示情報を出力する処理装置と、無線通信回線を介して前記表示装置と接続されるとともに通信回線を介して前記処理装置と接続される転送装置とを有し、前記表示装置は、予め自己に付与された固有の識別情報を、前記転送装置を介して前記処理装置へ送信し、前記処理装置は、前記表示装置からの固有の識別情報と予め設定された処理手順とに基づいて表示情報および指令情報を決定するとともに、この決定した表示情報および指令情報を、前記転送装置を介して前記表示装置へ送信し、さらに、前記表示装置は、前記処理装置からの表示情報および指令情報に基づいて前記電子表示デバイスへの表示制御を行う構成としたものである。
【００１５】
さらに、この課題を解決するために、本発明の情報処理システムは、予め固有の識別情報が付与され、無電源状態で表示内容を保持しかつ該表示内容を書換え可能な電子表示デバイスを有する複数の表示装置と、指定された表示装置に向けて表示情報を出力する処理装置と、無線通信回線を介して前記複数の表示装置と接続されるとともに通信回線を介して前記処理装置と接続され、前記無線通信回線を介して定期的に前記複数の表示装置に向けて固有の識別情報の問合わせを行う転送装置とを有し、前記転送装置からの問合わせに応答した任意の表示装置は、予め自己に付与された固有の識別情報を、前記転送装置を介して前記処理装置へ送信し、前記処理装置は、前記任意の表示装置からの固有の識別情報と予め設定された処理手順とに基づいて表示情報および指令情報を決定するとともに、この決定した表示情報および指令情報を、前記転送装置を介して前記任意の表示装置へ送信し、さらに、前記任意の表示装置は、前記処理装置からの表示情報および指令情報に基づいて前記電子表示デバイスへの表示制御を行う構成としたものである。
【００１６】
本発明の好ましい形態において、前記任意の表示装置は、前記転送装置を介して、処理装置からの表示情報、および複写に関する条件を示す複写条件情報を含む指令情報を受信した場合に、前記複写条件情報に含まれる画像品質情報に基づいて前記表示情報を加工し、該加工後の表示情報を前記電子表示デバイスに表示する。
【００１７】
本発明のさらに好ましい形態において、複写元の表示装置に表示されている複写元の表示情報を複写先の表示装置に表示させる場合、前記複写元の表示装置は、前記複写元の表示情報を、前記転送装置を介して前記処理装置へ送信し、前記処理装置は、前記複写元の表示装置からの複写元の表示情報と、複写に関する条件を示す複写条件情報を含む指令情報とを、前記転送装置を介して前記複写先の表示装置へ送信し、前記複写先の表示装置は、前記処理装置からの情報を受信した場合に、前記複写条件情報に含まれる画像品質情報に基づいて前記複写元の表示情報を加工し、該加工後の表示情報を前記電子表示デバイスに表示する。
【００１８】
本発明のさらに好ましい形態において、前記任意の表示装置は、前記転送装置を介して、処理装置からの表示情報、および複写に関する条件を示す複写条件情報を含む指令情報を受信した場合に、前記複写条件情報に含まれる複写回数を示す値が予め設定される閾値に達しているときは、受信した表示情報に関しては前記電子表示デバイスに表示しない。
【００１９】
本発明のさらに好ましい形態において、複写元の表示装置に表示されている複写元の表示情報を複写先の表示装置に表示させる場合、前記複写元の表示装置は、前記複写元の表示情報を、前記転送装置を介して前記処理装置へ送信し、前記処理装置は、前記複写元の表示装置からの複写元の表示情報と、複写に関する条件を示す複写条件情報を含む指令情報とを、前記転送装置を介して前記複写先の表示装置へ送信し、前記複写先の表示装置は、前記処理装置からの情報を受信した場合に、前記複写条件情報に含まれる複写回数を示す値に対して予め設定される値の加算または減算を実行し、この演算した後の複写回数の値が予め設定される閾値に達したときは、受信した表示情報に関しては前記電子表示デバイスに表示しない。
【００２０】
本発明のさらに好ましい形態において、前記転送装置は、電磁波を送信する送信手段を備え、前記複数の表示装置は、前記送信手段からの電磁波を受信する受信手段と、前記受信手段によって受信された電磁波を電力に変換する変換手段と、前記変換手段によって変換された電力を蓄積する蓄積手段とを備え、前記複数の表示装置は、前記蓄積手段に蓄積された電力を基に動作する。
【００２１】
本発明のさらに好ましい形態において、前記表示装置は、着脱可能であって、かつ無線タグが配設され、無電源状態で表示内容を保持しかつ当該表示内容の更新が可能な電子表示デバイスと、装着された前記電子表示デバイスに対する出力制御を行う制御手段を有する装置本体とを備えている。
【００２２】
本発明のさらに好ましい形態において、所定の画像を読み取る画像読取り装置を備え、前記画像読取り装置は、無線タグとの通信を行う無線タグ通信手段を備え、前記電子表示デバイスに表示されている表示画像を読み取るときに、前記無線タグ通信手段によって当該電子表示デバイスに配設されている無線タグとの間で通信することにより当該タグ情報を取得し、読取った画像データを取得したタグ情報に基づいて画像処理する。
【００２３】
本発明のさらに好ましい形態において、前記処理装置は、予め設定される処理手順を実行することにより、前記電子表示デバイスが着脱される前記装置本体の着脱の機構を制御する。
【００２４】
本発明のさらに好ましい形態において、前記電子表示デバイスに対応する固有の識別情報をタグ情報として所有する無線タグが、当該電子表示デバイスに配設されている、または、前記電子表示デバイスおよび前記装置本体それぞれに対応する固有の識別情報をタグ情報として所有する無線タグが、当該電子表示デバイスおよび当該記装置本体に配設されている。
【００２５】
本発明のさらに好ましい形態において、前記転送装置は、固有の識別情報が付与された複数の転送装置で構成され、前記処理装置は、前記複数の転送装置に対応する複数の固有の識別情報を基に当該複数の転送装置を一元管理する。
【００２６】
本発明のさらに好ましい形態において、前記転送装置または前記表示装置は、ユーザに対して警告を提示する警告手段を備えている。
【００２７】
本発明のさらに好ましい形態において、前記処理装置は、予め設定された処理手順に対応するプログラムを実行することにより、前記表示装置に対する表示に関する情報処理および管理を行う複数の処理装置で構成され、前記複数の処理装置それぞれが前記プログラムを実行することにより、前記複数の処理装置が連携して前記表示装置に対する表示に関する情報処理および管理を行う。
【００２８】
本発明のさらに好ましい形態において、前記画像読取り装置は、通信回線を介して前記処理装置と接続されている。
【００２９】
本発明のさらに好ましい形態において、前記処理装置と前記転送装置とが一体化されている。
【００３０】
本発明のさらに好ましい形態において、前記処理装置と前記画像読取り装置とが一体化されている。
【発明の効果】
【００３１】
本発明によれば、表示装置は、処理装置からの表示情報および指令情報に基づいて電子表示デバイスへの表示制御を行うようにしているので、電子表示デバイスへの表示情報の配布を簡便に管理することができるという有効な効果が得られる。
【００３２】
また、本発明によれば、表示装置は、無線通信回線を介して転送装置と通信することで、処理装置からの表示情報および指令情報を取得し、この取得した表示情報および指令情報に基づいて電子表示デバイスへの表示制御を行うようにしているので、電子表示デバイスへの表示情報の配布を簡便に管理することができるという有効な効果が得られる。
【００３３】
さらに、本発明によれば、複数の表示装置は無線通信回線を介して転送装置と通信することが可能であり、この通信により転送装置からの問合わせに応答した任意の表示装置は、転送装置を介して処理装置からの表示情報および指令情報を取得し、この取得した表示情報および指令情報に基づいて電子表示デバイスへの表示制御を行うようにしているので、電子表示デバイスへの表示情報の配布を簡便に管理することができるという有効な効果が得られる。
【００３４】
さらに、本発明によれば、表示情報の複写を繰り返すに従って表示画像の画像品質が劣化し、最終的には複写しても意味の無い表示画像となるので、表示情報の複写を制限することで、表示情報の著作権を保護することができ、しかも電子表示デバイスへの表示情報の複製および配布を簡便に管理することができるという有効な効果が得られる。
【００３５】
さらに、本発明によれば、複写条件情報に含まれる複写回数を示す値が予め設定される閾値に達しているときは、受信した複写元の表示情報に関しては電子表示デバイスに表示されないので、表示情報の複写を制限することで、表示情報の著作権を保護することができ、しかも電子表示デバイスへの表示情報の複製および配布を簡便に管理することができるという有効な効果が得られる。
【発明を実施するための最良の形態】
【００３６】
本発明の請求項１に記載の発明は、無電源状態で表示内容を保持しかつ該表示内容を書換え可能な電子表示デバイスを有する表示装置と、表示装置へ表示情報を出力する処理装置とを有し、表示装置と処理装置とは無線通信により情報の送受信を行うとともに、表示装置は、予め自己に付与された固有の識別情報を処理装置へ送信し、処理装置は、表示装置からの固有の識別情報と予め設定された処理手順とに基づいて表示情報および指令情報を決定するとともに、この決定した表示情報および指令情報を表示装置へ送信し、さらに、表示装置は、処理装置からの表示情報および指令情報に基づいて電子表示デバイスへの表示制御を行う情報処理システムであり、表示装置は、処理装置からの表示情報および指令情報に基づいて電子表示デバイスへの表示制御を行うようにしているので、電子表示デバイスへの表示情報の配布を簡便に管理することができるという作用を有する。
【００３７】
本発明の請求項２に記載の発明は、無電源状態で表示内容を保持しかつ該表示内容を書換え可能な電子表示デバイスを有する表示装置と、表示装置に向けて表示情報を出力する処理装置と、無線通信回線を介して表示装置と接続されるとともに通信回線を介して処理装置と接続される転送装置とを有し、表示装置は、予め自己に付与された固有の識別情報を、転送装置を介して処理装置へ送信し、処理装置は、表示装置からの固有の識別情報と予め設定された処理手順とに基づいて表示情報および指令情報を決定するとともに、この決定した表示情報および指令情報を、転送装置を介して表示装置へ送信し、さらに、表示装置は、処理装置からの表示情報および指令情報に基づいて電子表示デバイスへの表示制御を行う情報処理システムであり、表示装置は、無線通信回線を介して転送装置と通信することで、処理装置からの表示情報および指令情報を取得し、この取得した表示情報および指令情報に基づいて電子表示デバイスへの表示制御を行うようにしているので、電子表示デバイスへの表示情報の配布を簡便に管理することができるという作用を有する。
【００３８】
本発明の請求項３に記載の発明は、予め固有の識別情報が付与され、無電源状態で表示内容を保持しかつ該表示内容を書換え可能な電子表示デバイスを有する複数の表示装置と、指定された表示装置に向けて表示情報を出力する処理装置と、無線通信回線を介して複数の表示装置と接続されるとともに通信回線を介して処理装置と接続され、無線通信回線を介して定期的に複数の表示装置に向けて固有の識別情報の問合わせを行う転送装置とを有し、転送装置からの問合わせに応答した任意の表示装置は、予め自己に付与された固有の識別情報を、転送装置を介して処理装置へ送信し、処理装置は、任意の表示装置からの固有の識別情報と予め設定された処理手順とに基づいて表示情報および指令情報を決定するとともに、この決定した表示情報および指令情報を、転送装置を介して任意の表示装置へ送信し、さらに、任意の表示装置は、処理装置からの表示情報および指令情報に基づいて電子表示デバイスへの表示制御を行う情報処理システムであり、複数の表示装置は無線通信回線を介して転送装置と通信することが可能であり、この通信により転送装置からの問合わせに応答した任意の表示装置は、転送装置を介して処理装置からの表示情報および指令情報を取得し、この取得した表示情報および指令情報に基づいて電子表示デバイスへの表示制御を行うようにしているので、電子表示デバイスへの表示情報の配布を簡便に管理することができるという作用を有する。
【００３９】
本発明の請求項４に記載の発明は、請求項３記載の発明において、任意の表示装置は、転送装置を介して、処理装置からの表示情報、および複写に関する条件を示す複写条件情報を含む指令情報を受信した場合に、複写条件情報に含まれる画像品質情報に基づいて表示情報を加工し、該加工後の表示情報を電子表示デバイスに表示する情報処理システムであり、複写条件情報に含まれる画像品質情報例えば画像劣化率情報に基づいて表示情報を加工し、該加工後の表示情報を電子表示デバイスに表示するようにしているので、表示情報の複写を繰り返すに従って表示画像の画像品質が劣化し、最終的には複写しても意味の
無い表示画像となるので、表示情報の複写を制限することで、表示情報の著作権を保護することができ、しかも電子表示デバイスへの表示情報の複製および配布を簡便に管理することができるという作用を有する。
【００４０】
本発明の請求項５に記載の発明は、請求項３記載の発明において、複写元の表示装置に表示されている複写元の表示情報を複写先の表示装置に表示させる場合、複写元の表示装置は、複写元の表示情報を、転送装置を介して処理装置へ送信し、処理装置は、複写元の表示装置からの複写元の表示情報と、複写に関する条件を示す複写条件情報を含む指令情報とを、転送装置を介して複写先の表示装置へ送信し、複写先の表示装置は、処理装置からの情報を受信した場合に、複写条件情報に含まれる画像品質情報に基づいて複写元の表示情報を加工し、該加工後の表示情報を電子表示デバイスに表示する情報処理システムであり、複写先の表示装置においては、複写条件情報に含まれる画像品質情報例えば画像劣化率情報に基づいて複写元の表示情報を加工し、該加工後の表示情報を電子表示デバイスに表示するようにしているので、表示情報の複写を繰り返すに従って表示画像の画像品質が劣化し、最終的には複写しても意味の無い表示画像となるので、表示情報の複写を制限することで、表示情報の著作権を保護することができ、しかも電子表示デバイスへの表示情報の複製および配布を簡便に管理することができるという作用を有する。
【００４１】
本発明の請求項６に記載の発明は、請求項３記載の発明において、任意の表示装置は、転送装置を介して、処理装置からの表示情報、および複写に関する条件を示す複写条件情報を含む指令情報を受信した場合に、複写条件情報に含まれる複写回数を示す値が予め設定される閾値に達しているときは、受信した表示情報に関しては電子表示デバイスに表示しない情報処理システムであり、複写条件情報に含まれる複写回数を示す値が予め設定される閾値に達しているときは、受信した複写元の表示情報に関しては電子表示デバイスに表示されないので、表示情報の複写を制限することで、表示情報の著作権を保護することができ、しかも電子表示デバイスへの表示情報の複製および配布を簡便に管理することができるという作用を有する。
【００４２】
本発明の請求項７に記載の発明は、請求項３記載の発明において、複写元の表示装置に表示されている複写元の表示情報を複写先の表示装置に表示させる場合、複写元の表示装置は、複写元の表示情報を、転送装置を介して処理装置へ送信し、処理装置は、複写元の表示装置からの複写元の表示情報と、複写に関する条件を示す複写条件情報を含む指令情報とを、転送装置を介して複写先の表示装置へ送信し、複写先の表示装置は、処理装置からの情報を受信した場合に、複写条件情報に含まれる複写回数を示す値に対して予め設定される値の加算または減算を実行し、この演算した後の複写回数の値が予め設定される閾値に達したときは、受信した表示情報に関しては電子表示デバイスに表示しない情報処理システムであり、複写先の表示装置においては、複写条件情報に含まれる複写回数を示す値に対して予め設定される値の加算または減算を演算した後の複写回数の値が予め設定される閾値に達したときは、受信した複写元の表示情報に関しては電子表示デバイスに表示されないので、表示情報の複写を制限することで、表示情報の著作権を保護することができ、しかも電子表示デバイスへの表示情報の複製および配布を簡便に管理することができるという作用を有する。
【００４３】
本発明の請求項８に記載の発明は、請求項３〜７の何れか一項に記載の発明において、転送装置は、電磁波を送信する送信手段を備え、複数の表示装置は、送信手段からの電磁波を受信する受信手段と、受信手段によって受信された電磁波を電力に変換する変換手段と、変換手段によって変換された電力を蓄積する蓄積手段とを備え、複数の表示装置は、蓄積手段に蓄積された電力を基に動作する情報処理システムであり、表示装置は、転送装置から送信される電磁波を基に電力を生成しこの電力を基に動作するので、電源回路が不要となり携帯性に優れた表示装置を提供することができるという作用を有する。
【００４４】
本発明の請求項９に記載の発明は、請求項１〜８の何れか一項に記載の発明において、表示装置は、着脱可能であって、かつ無線タグが配設され、無電源状態で表示内容を保持しかつ当該表示内容の更新が可能な電子表示デバイスと、装着された電子表示デバイスに対する出力制御を行う制御手段を有する装置本体とを備えた情報処理システムであり、電子表示デバイスに表示画像が表示された後に、装置本体から電子表示デバイスを取り外して、当該電子表示デバイスに表示されている表示画像を見ることができるという作用を有する。
【００４５】
本発明の請求項１０に記載の発明は、請求項９記載の発明において、所定の画像を読み取る画像読取り装置を備え、画像読取り装置は、無線タグとの通信を行う無線タグ通信手段を備え、電子表示デバイスに表示されている表示画像を読み取るときに、無線タグ通信手段によって当該電子表示デバイスに配設されている無線タグとの間で通信することにより当該タグ情報を取得し、読取った画像データを取得したタグ情報に基づいて画像処理する情報処理システムであり、画像読取り装置が、表示装置の装置本体から取はずされた電子表示デバイスの表示画面および無線タグのタグ情報を読み取って、読取った画像データを取得したタグ情報に基づいて画像処理することができるという作用を有する。
【００４６】
本発明の請求項１１に記載の発明は、請求項９記載の発明において、処理装置は、予め設定される処理手順を実行することにより、電子表示デバイスが着脱される装置本体の着脱の機構を制御する情報処理システムであり、処理装置が表示装置の装置本体の着脱の機構を制御することができるという作用を有する。
【００４７】
本発明の請求項１２に記載の発明は、請求項９記載の発明において、電子表示デバイスに対応する固有の識別情報をタグ情報として所有する無線タグが、当該電子表示デバイスに配設されている、または、電子表示デバイスおよび装置本体それぞれに対応する固有の識別情報をタグ情報として所有する無線タグが、当該電子表示デバイスおよび当該記装置本体に配設されている情報処理システムであり、処理装置は、固有の識別情報を基に、電子表示デバイスまたは表示装置の装置本体、あるいは両者を管理することができるという作用を有する。
【００４８】
本発明の請求項１３に記載の発明は、請求項３〜１２の何れか一項に記載の発明において、転送装置は、固有の識別情報が付与された複数の転送装置で構成され、処理装置は、複数の転送装置に対応する複数の固有の識別情報を基に当該複数の転送装置を一元管理する情報処理システムであり、処理装置は複数の転送装置を一元管理することで、これら複数の転送装置と無線通信する複数の表示装置を一元管理することができるという作用を有する。
【００４９】
本発明の請求項１４に記載の発明は、請求項３〜１３の何れか一項に記載の発明において、転送装置または表示装置は、ユーザに対して警告を提示する警告手段を備えた情報処理システムであり、ユーザに対して警告を提示することができるという作用を有する。
【００５０】
本発明の請求項１５に記載の発明は、請求項３〜１４の何れか一項に記載の発明において、処理装置は、予め設定された処理手順に対応するプログラムを実行することにより、表示装置に対する表示に関する情報処理および管理を行う複数の処理装置で構成され、複数の処理装置それぞれがプログラムを実行することにより、複数の処理装置が連携して表示装置に対する表示に関する情報処理および管理を行う情報処理システムであり、表示に関する情報処理および管理を複数の処理装置で分担して処理することができるので、各処理装置の負荷を軽減させることができるという作用を有する。
【００５１】
本発明の請求項１６に記載の発明は、請求項１０記載の発明において、画像読取り装置は、通信回線を介して処理装置と接続されている情報処理システムであり、リモートに存在する画像読取り装置は、読み取った電子表示デバイスの画像データおよびタグ情報に基づいて、該画像データを加工し、この加工後の画像データを処理装置へ送信することが可能となるという作用を有する。
【００５２】
本発明の請求項１７に記載の発明は、請求項２〜１６の何れか一項に記載の発明において、処理装置と転送装置とが一体化されている情報処理システムであり、最小構成要素で情報システムを構築することができるという作用を有する。
【００５３】
本発明の請求項１８に記載の発明は、請求項１０または１６記載の発明において、処理装置と画像読取り装置とが一体化されている情報処理システムであり、最小構成要素で情報システムを構築することができるという作用を有する。
【００５４】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００５５】
（実施の形態１）
図１は本発明の実施の形態１における電子ペーパーシステムの基本的な構成を示す構成図、図２は図１に示した転送装置の構成を示す構成図、図３は図１に示した表示装置の構成を示す構成図、図４は図１に示した電子ペーパーを説明する図、図５は図１に示した電子ペーパーを説明する図、図６は図１に示した電子ペーパーを説明する図、図７は情報プログラムの実行による状態の遷移を示す図、図８は図１に示した電子ペーパーシステムの処理動作を示すフローチャート、図９は図１に示したパーソナルコンピュータから送信される情報のフォーマットの一例を示す図、図１０は画像データを説明する図、図１１は画像劣化処理動作を示すフローチャートである。
【００５６】
図１において、電子ペーパーシステムは、転送装置１、複数（２つの）の表示装置２ａ、２ｂ、パーソナルコンピュータ（以下、ＰＣという）３およびスキャナ（画像読取り装置）４を備えている。
【００５７】
転送装置１および２つの表示装置２ａ、２ｂ（これらを総称して表示装置２という）の詳細については後述する。
【００５８】
ＰＣ（処理装置）３は、接続ケーブル５を介して転送装置１およびスキャナ４と接続されている。また、転送装置１と表示装置２ａおよび表示装置２ｂとは無線で通信接続される。
【００５９】
ＰＣ３は、インストールされた情報プログラム３０を記憶する第１の記憶領域と、後述する表示情報（例えば、ドキュメント情報）、利用者により設定された、後述する情報登録および出力設定の内容などを記憶する第２の記憶領域とを有する記憶部３１を備えている。また、ＰＣ３は、記憶部３１の第２の記憶領域に記憶される情報の全部または一部を必要に応じて格納する外部記憶装置３２がローカル接続されている。
【００６０】
情報プログラム３０は、転送装置１から送られてくる表示装置の情報と、事前に設定および登録された情報や処理手順とに基づいて、多様なデータ処理やイベント操作を行うとともに、任意の転送装置へ画像情報と動作命令を送出して、表示装置への表示を制御および管理させる内容になっている。
【００６１】
スキャナ４は、公知技術で実現される画像読取り手段と、無線タグとの通信を行う無線タグ通信手段とを備えており、無線タグ付きの電子ペーパーの表示画像を読み込むときに、画像読取り手段によって画像データを読み取るとともに、無線タグ通信手段によって無線タグのタグ情報を読み取る。
【００６２】
このような電子ペーパーシステムは、ＰＣ３で用意された情報を、転送装置１を経由して、１以上の表示装置へ出力させることを基本的に可能にしたものである。
【００６３】
なお、本実施の形態１では、ＰＣ３とスキャナ４および転送装置１とを接続ケーブル５で接続するようにしているが、無線ＬＡＮのような手段を用いて、無線で接続するようにすることもできる。また、ＰＣ３に外部記憶装置３２がローカル接続されている構成としたが、外部記憶装置３２は接続されていなくても良い。
【００６４】
次に、上述した転送装置１の構成について図２を参照して説明する。
【００６５】
図２において、転送装置１は、ＣＰＵ（中央演算処理装置）１１、記憶手段であるＲＯＭあるいはＲＡＭ（以下、ＲＯＭ／ＲＡＭという）１２、ＰＣ３とのインタフェースを司るパーソナルコンピュータインタフェース回路（以下、ＰＣインタフェース回路という）１３、アンテナ駆動回路１４、アンテナ１５、蓄電池１６、ブザー駆動回路１７、およびブザー駆動回路１７の駆動に従って警告音や操作音を出力するブザー（警告手段）１８を備えている。このような転送装置１には、固有の識別情報が付与されている。
【００６６】
転送装置１は、ＰＣ３とは、例えばＵＳＢ２．０仕様に基づいて接続ケーブル５およびＰＣインタフェース回路１３を介して接続される。
【００６７】
したがって、転送装置１は、ＰＣ３との間で接続された接続ケーブル５から電力が供給されるので、この供給された電力を蓄電池１６に蓄積し、この電力を基に各構成要素（各回路ブロック）を駆動することができる。蓄電池１６から出力される直流電源パワー１Ｐは、各構成要素へ供給される。このため、転送装置１には電源回路が不要となる。
【００６８】
ＣＰＵ１１は、ＲＯＭ／ＲＡＭ１２に記憶されているプログラムを実行することにより、転送装置１の動作を制御する。
【００６９】
例えば、ＰＣ３から送られた個別データを受信して取得し、この取得した情報と電力を電磁波に変換し、この電磁波を表示装置へ送信するようアンテナ駆動回路１４を制御するとともに、アンテナ１５を介して受信される電磁波を基に表示装置を検知する。
【００７０】
アンテナ（送信手段）１５は、表示装置２ａあるいは表示装置２ｂとの間で無線にて信号を送受信する。
【００７１】
なお、本実施の形態１では、転送装置１において、電源回路は不要とする構成としたが、電源手段としてＡＣ電源回路や電池を有する構成であってもよい。また、ブザー駆動回路１７およびブザー１８は搭載しなくてもよい。さらに、ＲＡＭ１２は、表示画面１枚分もしくは複数分の表示データを格納できる容量を有するものが好ましく、さらには、電力消費がほとんど無く、しかもデータ内容を長時間保持できるものが好ましい。
【００７２】
さらに、転送装置１は、通信回線、すなわち無線通信回線または有線通信回線（ネットワーク）を介してＰＣ３と接続するようにしても良い。この場合、無線通信可能なインタフェース手段（通信手段）、または有線通信可能なインタフェース手段（通信手段）を備
える必要がる。
【００７３】
次に、表示装置２の構成について図３を参照して説明する。
【００７４】
図３において、表示装置２は、電子ペーパー２００ａへの書込みを面で書き込めるようにしたものであり、表示装置２の動作を制御するためのＣＰＵ２１、制御プログラムやデータを保持・記録するための記憶素子であるＲＯＭやＲＡＭ（以下、ＲＯＭ／ＲＡＭという）２２、アンテナ２５で受信した無線周波数の電磁波から信号を抽出するためのＲＦ変換回路２３、アンテナ２５で受信した電磁波から電気エネルギーを抽出して直流電源パワーへ変換するためのＡＣ／ＤＣ変換回路（変換手段）２４、転送装置１との間で電磁波により通信するための送受信アンテナ（受信手段）２５、ＡＣ／ＤＣ変換回路２４で生成した直流電源パワーを蓄えるための蓄電池（蓄積手段）２６、電子ペーパー部２００ａ、表示部２７Ｂ、および記録制御回路２８を備えている。
【００７５】
蓄電池２６から供給される電力２Ｐは、電子ペーパー２００ａへの記録動作に使用される。なお、蓄電池２６には、安定した電圧を取り出すための制御回路を内蔵させても良い。
【００７６】
この表示装置２は、利用者に対して警告を提示する例えばブザーなどの警告手段を備えるようにしても良い。この警告手段は、電子ペーパー２００ａに警告メッセージを表示することで警告を提示するものでも良い。
【００７７】
ところで、図３の符号２Ｃで示される破線で囲まれた部分は、無線タグを実現する場合の構成要素と同様の回路構成であり、極めて小型のＩＣで実現することができる。ＲＯＭ／ＲＡＭ２２は、識別情報として個別の識別情報（ＩＤ）を有することができる。
【００７８】
なお、本実施の形態１では、符号２Ｃで示される部分（破線で囲まれた部分）の回路は、一般の無線タグのチップに比べた場合、はるかに大きな電力を消費する電子ペーパーへの書込みのための構造（回路）になっているので、アンテナ２５、ＡＣ／ＤＣ変換回路２４および蓄電池２６のそれぞれの基本仕様は、一般の無線タグの場合と比較して大きく相違している。例えば、アンテナ２５が、１ＭＨｚの周波数の電磁波を効率的に受信する。ＡＣ／ＤＣ変換回路２４が、アンテナ２５で受信した電磁波から電気エネルギーに変換した低いＡＣ電圧を２５ＶのＤＣ電圧へ昇圧変換する。その電力を電気２重層コンデンサからなるキャパシタを蓄電池２６として利用するようにする。
【００７９】
次に、電子ペーパー２００ａの構成について、図４〜図６を参照して説明する。
【００８０】
本実施の形態１では、電子表示デバイスとして、所定のギャップを経て対向する、少なくとも一方が光透過する２枚のシートと、これらのシートの間に光学的反射濃度や色の異なる１種類もしくは複数種類の帯電性微粒子を内包させた現像剤を充填し、この現像剤に電界もしくは磁界を印加することで、帯電性微粒子をシート内で移動させ、光学的反射濃度や色を変化させる電気泳動や磁気泳動方式の電子ペーパーを利用する。
【００８１】
図４は、さらに詳しく説明すると図３に示した電子ペーパー２００ａとして、公知の技術である電気泳動方式の電子ペーパーの構造を示したものであり、図５に示すＡ−Ａ’断面を示す断面図を示している。
【００８２】
図４において、マイクロカプセル２００Ｍは、電子インク機能を有しており、複数の粒子および染色された懸濁流体が充填されている。粒子は、異なる光学的反射特性を有するとともに、対照的な電気泳動移極性を有している。
【００８３】
例えば、マイクロカプセル２００Ｍには、透明な懸濁流体である懸濁流体２００Ｌが充填されており、この懸濁流体２００Ｌの中に、黒色で＋（プラス）に帯電している粒子２００Ｋと、白色で−（マイナス）に帯電している粒子２００Ｗとが存在している。
【００８４】
シート２００Ｓは、マイクロカプセル２００Ｍを挟むための光透過性を有している。バインダー２００Ｔは、マイクロカプセル２００Ｍをシート２００Ｓに接合するための非導電性のバインダーである。表示面側のシート２００Ｓの内側全面には透明電極２０１Ｓが形成されており、これに対向する背面側のシート２００Ｓの内側には、複数の画素電極２７ＢＳが形成されている。
【００８５】
なお、本実施の形態１では、電子ペーパー２００ａの両面を透明なシート２００Ｓとしたが、背面側を不透過のシートや金属シートと絶縁膜による構成であってもよい。
【００８６】
図５は表示部２７Ｂの構成を示す図である。図５において、表示部２７Ｂは、画素電極２７ＢＳ、スイッチング素子２７ＢＴ、横方向の駆動回路２８Ｒ、および縦方向の駆動回路２８Ｃを備えている。表示部２７Ｂには、複数の画素に対応して複数の画素電極２７ＢＳが配置されており、これら各画素電極２７ＢＳには画素毎にスイッチング素子２７ＢＴが設けられている。
【００８７】
ここで、画像を駆動する回路を図６示す。図６に示すように、スイッチング素子２７ＢＴにおいては、そのゲート電極は、駆動回路２８Ｒと接続された横方向の配線であるゲートライン２７Ｒに接続されており、また、そのソース電極は、駆動回路２８Ｃに接続された縦方向の配線であるソースライン２７Ｃに接続されている。また、スイッチング素子２７ＢＴは、そのドレイン電極に接続された画素電極２７ＢＳを個別にマトリックス駆動できるようになっている。
【００８８】
駆動された画素電極２７ＢＳとこれに対向する透明電極２０１Ｓとの間には電界が発生するので、これらの電極の間に位置しているマイクロカプセル２００Ｍ内で帯電粒子（粒子２００Ｋ、粒子２００Ｗ）の移動が行われる。
【００８９】
なお、本実施の形態１では、駆動回路２８Ｒおよび駆動回路２８Ｃを記録制御回路２８と分離させた構成にしているが、駆動回路２８Ｒおよび駆動回路２８Ｃを符号２Ｃで示される部分（破線で囲まれた部分）の回路に内蔵させて一体型にすることもできる。
【００９０】
さらに、本実施の形態１では、１つの画素電極２７ＢＳに１つのスイッチング素子２７ＢＴを設けるようにしたが、電源ラインと複数のスイッチング素子を設けてアクティブマトリックス駆動の構成にしても良い。
【００９１】
さらに、本実施の形態１では、電子表示デバイスとして、電気泳動方式の電子ペーパーを使用するようにしているが、これ以外にも電子ペーパーとして公知の技術手段、例えば、ツイスティングボール、相安定液晶、ＣＮ液晶、トナーディスプレイ、電子粉流体などの方式による表示デバイスを利用することができる。
【００９２】
図７は、さらに詳しく説明するとＰＣ３にインストールされている情報プログラム３０の基本動作の遷移状態を示している。情報プログラム３０は、「情報登録」、「出力設定」、および「処理」の動作ブロックで構成される。通常、情報プログラム３０は、各イベントの発生を監視しており、イベントが発生した場合にその動作ブロックが実行される。
【００９３】
なお、「情報登録」は後述する処理手順のステップＳ３１の処理内容に相当し、「出力
設定」は後述する処理手順のステップＳ３２の処理内容に相当し、「処理」は後述する処理手順のステップＳ３０の処理内容に相当する。
【００９４】
次に、電子ペーパーシステムの処理動作について図８を参照して説明する。
【００９５】
ＰＣ３は、利用者からの起動指示に基づいて情報プログラム３０を起動して、これを実行する。この結果、ＰＣ３に設けられた表示装置（図示せず）にメニュー画面が表示されるので、利用者は、そのメニュー画面より情報登録モードを選択指定する。すると、所定の情報を登録するための画面が表示されるので、利用者は、その画面に対してＰＣ３の入力装置（図示せず）を操作して所定の情報を入力し登録する。
【００９６】
すなわち、ＰＣ３に対して、表示装置２に表示させたい画像や文字などの表示情報や利用者についての個別の属性情報、例えば氏名および年齢、会社内における地位および権限などの属性情報、さらには、表示装置を管理するための個別情報、例えばセキュリティ管理のためのパスワードなどを登録する（ステップＳ３１）。
【００９７】
ここで、表示情報とは、アプリケーションソフトウェアで作成されたテキスト、図、グラフおよび写真などの情報、あるいはこれらの要素で構成されたドキュメント情報、あるいはスキャナ４による画像読取りの結果であるデータ化された画像情報のことである。また、利用者には、情報を見る側の人や情報を管理・提供する側の人が含まれる。
【００９８】
１つのＰＣ３を複数の利用者で利用する利用形態もある。そこで、複数の利用者を識別管理するために、氏名および年齢、会社内における地位および権限、セキュリティ管理のためのパスワードなど、種々の個人情報を管理することで、多様化した利便性の提供が可能となる。
【００９９】
次に、利用者が、所定の情報の登録を終了してメニュー画面より出力設定モードを選択すると、所定の情報を登録するための画面がＰＣ３の表示装置（図示せず）に表示されるので、利用者は、その画面に対してＰＣ３の入力装置（図示せず）を操作して、表示させるべく情報について各種の出力設定を行う（ステップＳ３２）。
【０１００】
例えば、表示させたい情報、利用者の指定、表示装置の選択、転送装置の指定、複写時の画質劣化パラメータ、複写の世代回数（複写回数）の指定、表示させる期間などを任意に設定する。これらの出力設定情報は、ＰＣ３内の記憶部３１またはＰＣ３に接続された外部記憶装置３２に記録保存される。
【０１０１】
ここで、表示させたい情報は、表示装置２を所有する利用者やＰＣ３で認証した利用者の個人情報を基に、予め用意している処理手順に従って、登録されている情報を加工して用意することが可能である。例えば、登録情報の一部のみを表示させる、複数の情報を合わせる、表示できる期間を限定させる、など様々な情報加工処理や応用が可能である。
【０１０２】
上記ステップＳ３１およびステップＳ３２が終了した場合、ＰＣ３は、上述した情報プログラム３０の基本動作である「処理」の動作ブロックを実行することになる（ステップＳ３０）。
【０１０３】
このステップＳ３０においては、情報登録されている資料１（図示せず）の情報を、転送装置１を経由して、表示装置２ａおよび表示装置２ｂへ出力する場合の動作について説明する。
【０１０４】
ここで、この実施の形態１では、転送装置１の固有の識別情報をＩＤ＝ｍとし、表示装
置２ａの固有の識別情報をＩＤ＝ｎ１とし、表示装置２ｂの固有の識別情報をＩＤ＝ｎ２とする。
【０１０５】
また、ステップＳ３２において、利用者により設定された出力設定の内容は、「情報登録されている資料１の情報を、転送装置１を経由して、識別情報ＩＤ＝ｎ１の表示装置２ａおよび識別情報ＩＤ＝ｎ２の表示装置２ｂへ、画質劣化率５％の複写属性を付与して出力する」という旨であるものとする。
【０１０６】
さて、転送装置１が接続ケーブル５を介してＰＣ３と接続され、ＰＣ３から電源供給が開始されると、転送装置１は、定期的に、自己の識別情報ＩＤ（ＩＤ＝ｍ）を含めた情報Ｄ１を所定信号の電磁波としてアンテナ１５から出力するとともに（ステップＳ１１）、この情報Ｄ１を受信した表示装置からの応答を受信することで表示装置を検出する（ステップＳ１２）。
【０１０７】
なお、識別情報ＩＤの送出と電磁波の供給を兼ねた処理であるステップＳ１１と、表示装置の検出の処理であるステップＳ１２とは、連続的に繰返し実行される。
【０１０８】
ここで、利用者が表示装置２ａ，２ｂを持参して転送装置１に近づき、表示装置２ａ，２ｂが、転送装置１から送信された電磁波を受信できる距離内に位置した場合には、表示装置２ａ，２ｂは、その電磁波を受信することができる。
【０１０９】
そして、表示装置２ａ，２ｂは、アンテナ２５を介して電磁波を受信すると（ステップＳ２１）、表示装置２ａは自己の識別情報ＩＤ（ＩＤ＝ｎ１）を含んだ情報Ｄ２を、一方、表示装置２ｂは自己の識別情報ＩＤ（ＩＤ＝ｎ２）を含んだ情報Ｄ２を、それぞれ転送装置１へ送信する（ステップＳ２２）。
【０１１０】
このようにして表示装置２ａ，２ｂそれぞれから送信された情報Ｄ２は、転送装置１に入力され、転送装置１による表示装置の検出（ステップＳ１２）に用いられる。
【０１１１】
なお、表示装置２ａ，２ｂからの識別情報ＩＤの送出に際しては、同時タイミングによる送出での識別情報ＩＤの衝突を回避するために、表示装置２ａ，２ｂにおいて、ステップＳ２１での電磁波の受信をトリガとして乱数による識別情報ＩＤの送出タイミングの設定を行い、同時出力の確率が低下するような手段を講ずるようにしてもよい。
【０１１２】
さて、ステップＳ２２を終了した表示装置２ａ，２ｂでは、ＡＣ／ＤＣ変換回路２４は、アンテナ２５を介して受信中の電磁波を直流電源パワーに変換し、これを蓄電池２６へ蓄積する（ステップＳ２３）。次に、表示装置２ａ，２ｂでは、転送装置１からの指令を受信するまで、ステップＳ２２およびステップＳ２３を繰り返し実行しながら待機する。
【０１１３】
すなわち、表示装置２ａ，２ｂは、転送装置１からの指令を受信するまで、自己の識別情報ＩＤの送出、および受信中の電磁波を基に変換している電力の充電（エネルギー充電）の動作を繰り返しながら、待機する。
【０１１４】
ところで、転送装置１では、ステップＳ１２において識別情報ＩＤを基に検出した表示装置２ａおよび表示装置２ｂの何れか一方の識別情報ＩＤに、自己の識別情報ＩＤ（ＩＤ＝ｍ）を含めた情報Ｄ３を、ＰＣ３へ送信する。
【０１１５】
ＰＣ３では、転送装置１からの情報Ｄ３を受信し、この受信した情報Ｄ３に含まれている表示装置２ａまたは表示装置２ｂの識別情報ＩＤと、上記ステップＳ３２において出力設定されている個別情報とに基づいて、利用者により出力指定された装置（表示装置）で
あることを検出する（ステップＳ３３）。ここでは、出力指定された装置として、先に表示装置２ａが検出され、次に表示装置２ｂが検出されるものとする。
【０１１６】
次に、ＰＣ３は、指定された出力条件を満足していることを確認すると、ステップＳ３２で設定された出力設定の情報を基に、情報処理を行う（ステップＳ３４）。
【０１１７】
ここでは、出力設定として登録されＰＣ３の記憶部３１に記憶されている内容は、資料１を識別情報ＩＤ＝ｎ１の表示装置２ａ、および識別情報ＩＤ＝ｎ２の表示装置２ｂへ複写属性（画質劣化率５％）を付けて出力する、という旨である。
【０１１８】
そのため、先に検出した表示装置２ａの識別情報ＩＤを受けたＰＣ３は、ステップＳ３４においては、ＰＣ３内の記憶部３１もしくはＰＣ３に接続された外部記憶装置３２に保存されている資料１の情報を基に、表示装置２ａの電子ペーパー２００ａに表示できるサイズの画像情報に処理することになる。
【０１１９】
このような処理を終了したＰＣ３は、画像出力の指令を、識別情報ＩＤ＝ｎ１の表示装置２ａを検出した識別情報ＩＤ＝ｍの転送装置１（上記情報Ｄ３に含まれている識別情報ＩＤ＝ｍの転送装置１）へ情報Ｄ４として送信し（ステップＳ３５）、その後、転送装置１からの画像出力の指令に対する指令完了を示す旨を受信するまで待機する（ステップＳ３６）。
【０１２０】
この情報Ｄ４は、指令情報として出力されるものであり、図９に示すようなフォーマットで構成されている。すなわち、情報Ｄ４（指令情報Ｄ４）は、装置動作を指示する情報である動作指令（この例では画像表示）と、指令先を示す転送装置ＩＤ（転送装置を示す識別情報）と、出力先を示す表示装置ＩＤ（表示装置を示す識別情報）と、動作指令に関する詳細を設定する指令付属情報等と、転送する画像データ（この例では資料１の画像）とで構成される。
【０１２１】
なお、本実施の形態では、指令付属情報には、画像表示動作における付属動作設定として、複写条件情報としての画質劣化率５％や複写世代数制限値、実行済み表示画質劣化率などの指令付属情報が含まれている。
【０１２２】
なお、ステップＳ３２において記憶されている出力設定の内容に、何も指令すべき設定がない場合は、図７に示すイベント待ち状態へ遷移する。
【０１２３】
転送装置１が、ＰＣ３からの指令情報Ｄ４を受信すると（ステップＳ１３）、その指令を処理する。すなわち、転送装置１は、識別情報ＩＤ＝ｎ１の表示装置２ａが転送装置１の受信可能範囲内に位置しているかどうかを、監視（検出）して把握しているので、範囲内にある場合は、指令処理を実行する。
【０１２４】
ここでの指令は、ＩＤ＝ｎ１の表示装置２ａへの資料１の画像出力であるので、転送装置１は、ステップＳ１３において受信した指令情報Ｄに含まれる、ＩＤ＝ｎ１の表示装置２ａへの出力であることを示す指令情報とともに、資料１の画像情報および指令付属情報を、情報Ｄ５としてアンテナ１５から送信する（ステップＳ１４）。
【０１２５】
そして、ステップＳ１４を終了した転送装置１は、情報Ｄ５を受信した表示装置２ａからの指令完了の通知を受信するまで待機する（ステップＳ１５）。
【０１２６】
なお、転送装置１は、ステップＳ１３を終了した後（ＰＣ３からの指令情報Ｄ４を受信した後）、この指令情報Ｄ４に含まれている表示装置ＩＤに対応する表示装置２ａが検出
できない場合は、この表示装置２ａを検出できるまで、ステップＳ１１からステップＳ１２を繰り返しながら待機する。
【０１２７】
アンテナ２５を介して転送装置１からの情報Ｄ５を受信した表示装置２ａでは、ＣＰＵ２１が、この情報Ｄ５に含まれる、ＩＤ＝ｎ１の表示装置２ａへの出力であることを示す指令情報を参照して、自分への画像出力指令であることを認識すると、この情報Ｄ５に含まれている資料１の画像情報をＲＡＭ２２に格納する（ステップＳ２４）。
【０１２８】
表示装置２ａでは、ＣＰＵ２１は、受信した元の画像データ（図１０（ａ）参照）および画質劣化率５％の指令付属情報に基づいて画像の表示描画処理を実行するとともに（ステップＳ２５）、この処理を終了した後（画像劣化処理後）の画像（（図１０（ｂ）参照）を、記録制御回路２８を通して電子ペーパー２００ａに書込む。
【０１２９】
次に、表示装置２ａは、ステップＳ２５において、受信した全ての情報（この例では資料１の画像情報）についての電子ペーパー２００ａへの書き込みが完了した場合は、指令情報（指令情報Ｄ４）および自己の表示装置の識別情報ＩＤ（ＩＤ＝ｎ１）とともに、指令処理完了を示す信号（指令処理完了信号）Ｄ６を転送装置１へ送信する（ステップＳ２６）。
【０１３０】
そして、指令処理完了信号Ｄ６を転送装置１へ送信した表示装置２ａでは、この信号Ｄ６を受信した転送装置１からの指令処理完了に対する応答を示す信号を受信するまで待機し（ステップＳ２７）、その応答を示す信号を受信した場合は、上記ステップＳ２１に戻り、このステップ以降を実行する。
【０１３１】
ここで、表示装置２ａによるステップＳ２５の表示描画処理に含まれる画質劣化処理について、図１１を参照して説明する。
【０１３２】
表示装置２ａでは、ＣＰＵ２１が、表示描画処理対象の元の画像データ（図１０（ａ）参照）から１画素を取得する毎に１〜１００までの乱数を発生させ（ステップＳ４１）、その後、乱数の値が劣化率の値以下の値であるか否かを判断する（ステップＳ４２）。この例では、画質劣化率が５％なので、劣化率の値は５となる。
【０１３３】
ＣＰＵ２１は、ステップＳ４２において、発生させた乱数の値と劣化率の値＝５とを比較した結果、乱数の値が劣化率の値以下であると判断した場合は、当該画素について画素処理を実行する（ステップＳ４３）。
【０１３４】
この画素処理では、対象の画素を、黒を示す画素または白を示す画素として元の画像データに置き換えることで、ノイズを重畳させて、画質劣化処理を行う。なお、重畳ノイズは、乱数を基に決定するのではなく、劣化率に応じた固定の非周期パターンを基に決定するようにしても良い。
【０１３５】
また、ノイズ重畳方法としては、画素の黒化または白化の代替として、特定の確率で選択された画素の情報反転化（白を示す画素から黒を示す画素、または、黒を示す画素から白を示す画素）という処理、あるいは対象の画素とその周辺の画素との演算処理でもよい。なお、画素の情報反転化処理や演算処理は簡単なハードウェアでも実現できる処理方法が望ましい。
【０１３６】
ところで、ステップＳ４３を終了した場合、ステップＳ４２において乱数の値が劣化率の値よりも大きいと判断した場合、ＣＰＵ２１は、ステップＳ４２の処理の対象となった画素が、上記元の画像データにおける最終画素か否かを判断し（ステップＳ４４）、最終
の画素でないと判断した場合は、次の画素について画質劣化処理を施すべく（ステップＳ４５）、上記ステップＳ４１に戻り、このステップ以降を実効する。
【０１３７】
なお、ステップＳ４４において、最終画素であると判断された場合は、この処理を終了する。
【０１３８】
そして、表示装置２ａでは、記録制御回路２８が、ＣＰＵ２１によって画質劣化処理が施された後の画像データ（図１０（ｂ）参照）を電子ペーパー２００ａに画像描画する。この画像描画（表示描画処理）を完了したＣＰＵ２１は、表示装置２ａ内のＲＡＭ２２に記憶されている指令付属情報の実行済み表示画質劣化率を０から５％に書き換える。
【０１３９】
以上で画質劣化処理が終了したことになる。再度、図９を参照して説明する。このようにして表示描画処理を終了した表示装置２ａでは、上記ステップＳ２６にて指令処理完了を示す信号Ｄ６を転送装置１へ送信することになるので、転送装置１では、アンテナ１５を介して表示装置２ａからの指令処理完了信号Ｄ６を受信すると（ステップＳ１５）、ＣＰＵ１１は、この指令処理完了に対する応答を示す応答信号Ｄ７を、アンテナ駆動回路１４を経由してアンテナ１５から表示装置２ａに向けて送信する（ステップＳ１５）。
【０１４０】
次に、転送装置１では、ＣＰＵ１１が、ステップＳ１３において受信した指令情報Ｄ４に基づく指令に対する指令完了を示す指令完了情報Ｄ８を、ＰＣインタフェース回路１３を介してＰＣ３へ送出するとともに（ステップＳ１６）、この指令完了（指令完了情報Ｄ８）に対するＰＣ３からの応答を受信するまで待機する（ステップＳ１７）。
【０１４１】
そして、転送装置１は、指令完了（指令完了情報Ｄ８）に対するＰＣ３からの応答を受信した場合は、ステップＳ１１へ戻り、表示装置２ｂに対して、表示装置２ａに対する処理動作と同様の動作を行うことになる。
【０１４２】
ところで、ステップＳ３５にて画像出力（指令出力）を終了したＰＣ３は、転送装置１からの指令完了情報Ｄ８を受信するまで待機しているので、この指令完了情報Ｄ８を受信した場合は、この指令完了に対する応答を示す応答信号Ｄ９を転送装置１へ送信し（ステップＳ３６）、その後、指定の処理の一部が完了したことを履歴としてＰＣ３内の記憶部３１または外部記憶装置３２に記録する（ステップＳ３７）。例えば、コピー回数のカウント数値、複写先の表示装置を示す識別情報、複写時間等のログ情報が記録される。
【０１４３】
このようにして履歴の処理記録を終了したＰＣ３は、表示装置２ｂへの資料１の画像出力という未実施で残っている処理を、上述した表示装置２ａへの出力動作と同様に、転送装置１を通して行う。
【０１４４】
次に、資料１の画像情報を電子ペーパー２００ａに表示（書き込み）した表示装置２ａを、現在の位置（場所）から移動させて、表示装置２ａの表示画像を表示装置２ｃへ複写させる場合は、次のような動作が行われる。
【０１４５】
すなわち、５％劣化させた画像データ、実行済み表示画質劣化率（５％）、および、最初に情報源（情報提供者）から出力された時に設定された画質劣化率（５％）の付属情報が、表示装置２ａから当該表示装置２ａとの間で無線通信が可能な他の転送装置１を経由してＰＣ３へ転送される。さらに、前記各情報が、ＰＣ３から他の転送装置１（表示装置２ａとの間で無線通信した転送装置であるか否かは問わない）を経由して表示装置２ｃ（図示せず）へ送信される。
【０１４６】
表示装置２ｃ（図示せず）では、受信した５％の画質劣化済み画像データに対して５％
の画質劣化処理（図１１参照）を施し、この画質劣化処理を施した画像データを電子ペーパー２００ａに表示させる。ここで、表示装置２ｃ内の指令付属情報の実行済み表示画質劣化率を５％から１０％に書き換える。なお、画質劣化率は５％の値のままで変更されない。
【０１４７】
このように所定の表示装置の表示画像を他の表示装置に複写する場合、例えば２０世代も複写すれば、画質劣化処理を施した後の画像は、全黒または全白、あるいは白黒率５０％となり、完全に判読不可能な状態になる。これにより、アナログによるコピーと同様の効果を持たせることができる。
【０１４８】
なお、本実施の形態１において、転送装置１を、そのＣＰＵやメモリ容量を大きくして処理プログラムを搭載して高機能にすることで、ＰＣ３の介在なしで、直接、表示装置２ａから転送装置１を経由して表示装置２ｂへ情報の伝達を行うこともできる。
【０１４９】
また、本実施の形態１において、ステップＳ２６においては、ステップＳ２５の処理が完了した後に指令完了情報Ｄ６を転送装置１へ送信し、また、ステップＳ１６においては、表示装置２ａからの指令完了情報Ｄ６を受信した後に指令完了情報Ｄ８をＰＣ３へ送信する、というように指令に対する処理が終了した後に、指令完了を通知するようにしているが、指令に対する処理の途中経過において、その処理過程での処理情報を、表示装置２ａから転送装置１へ、さらに転送装置１からＰＣ３へ、当該指令に対する処理が完了するまで数回、送信させるようにすることもできる。
【０１５０】
さらに、本実施の形態１において、情報処理として資料１の情報から電子ペーパー２００ａに表示できるサイズの画像情報へ処理する場合の例を説明したが、本発明はこれに限定されることなく、表示装置に対して、利用者の属性から資料１の一部のみを表示する画像情報として処理させることや、別の情報を資料１に付加させて画像情報として処理させるなど、多様な情報処理をさせることで、利用者への注意喚起・再確認・情報の要約による効率化・宣伝効果などの様々な利便性を実現することができる。
【０１５１】
例えば、表示装置２では、図１０（ｃ）に示すように、複写の利用者の氏名情報Ｄ１１を元の画像データ（図１０（ａ）参照）に付加し、この画像データを表示することができ、また、図１０（ｄ）に示すように、期間や場所についての画像表示制約の情報Ｄ１２を元の画像データ（図１０（ａ）参照）に付加し、この画像を表示することもできる。
【０１５２】
さらに、本実施の形態１において、複写に関する付属属性として画質劣化率を例にして説明したが、本発明はこれに限定されることなく、劣化の無いオリジナル情報に同時複写回数や総複写回数という属性を持たせることで、完全な画質の情報について、その総複写数を制限でき、かつ特定のグループメンバーのみへ複写許可させるなどの制限設定が可能となる。
【０１５３】
さらに、本実施の形態１において、表示情報の複写制限対策として、複写条件情報に含まれる画像品質情報（画像劣化率情報）を基に複写元の表示情報を加工することにより、複写の回数が増加する毎に、表示情報（表示画像）が画像劣化するようにして、最終的には複写しても意味の無い表示画像とすることで、複写を制限するようにしているが、本発明はこれに限定されることなく、次のようにしても良い。
【０１５４】
すなわち、複写元の表示装置２ａに表示されている複写元の表示情報を複写先の表示装置２ｃに表示させる場合、表示装置２ａは、複写元の表示情報を、転送装置１を介してＰＣ３へ送信する。次に、ＰＣ３は、表示装置２ａからの複写元の表示情報と、複写に関する条件を示す複写条件情報を含む指令情報とを、転送装置１を介して表示装置２ｃへ送信
する。
【０１５５】
表示装置２ｃは、ＰＣ３からの情報を受信した場合に、複写条件情報に含まれる複写回数を示す値に対して予め設定される値の加算または減算を実行する。
【０１５６】
そして、表示装置２ｃは、この演算した後の複写回数の値が予め設定される閾値より小さい値のときは、受信した表示情報を電子表示デバイス２００ａに表示し、一方、この演算した後の複写回数の値が予め設定される閾値に達したときは、受信した表示情報に関しては電子表示デバイス２００ａに表示しない。
【０１５７】
このように、表示情報の複写制限を複写回数によって制約する場合は、表示画像の画像品質は劣化しないものの、既定の複写回数に達した場合に、表示情報は表示されない。
【０１５８】
さらに、本実施の形態１において、ＰＣ３と転送装置１とが一体化された構成とすることもできる。例えば、ＰＣ３が転送装置１の構成および機能を有するようにすれば良い。
【０１５９】
この場合、電子ペーパーシステムは、上述した処理の場合と同様に処理することができる。ここで、基本的な処理を再度説明すると、表示装置２とＰＣ３とは無線通信により情報の送受信を行う。ＰＣ３は定期的に電磁波を表示装置２に向けて出力する。この表示装置２は、予め自己に付与された固有の識別情報をＰＣ３へ送信する。
【０１６０】
ＰＣ３は、表示装置２からの固有の識別情報と予め設定された処理手順とに基づいて表示情報および指令情報を決定するとともに、この決定した表示情報および指令情報を表示装置２へ送信する。
【０１６１】
そして、表示装置２は、処理装置からの表示情報および指令情報に基づいて、電子ペーパー２００ａに情報を書き込む。
【０１６２】
さらに、本実施の形態１において、ＰＣ３とスキャナ４とが一体化された構成とすることもできる。例えば、ＰＣ３がスキャナ４の構成および機能を有するようにすれば良い。
【０１６３】
さらに、本実施の形態１において、スキャナ４は、接続ケーブル５によってＰＣ３と接続される構成としているが、ネットワーク（通信回線）を介してＰＣ３と接続されるように構成することもできる。
【０１６４】
以上説明したように、実施の形態１によれば、転送装置１が、表示装置２ａや表示装置２ｂとの間で非接触による通信により表示装置２ａ，２ｂの固体識別情報を取得し、この固体識別情報（固有の識別情報）を情報処理装置（コンピュータ）へ通知し、一方、情報処理装置が、情報プログラム３０を実行することで、前記固体識別情報、および予め設定・登録された情報や処理手順を示す情報に基づいて多様なデータ処理を行うことができるとともに、画像情報および動作命令を任意の転送装置へ送信して所望の表示装置への表示に関する制御・管理を行うことができる。
【０１６５】
したがって、出力設定をした後は、表示装置を転送装置に近づけるだけで、任意の表示装置に所望の情報を表示することができるので、従来の技術では不可能であったプリンティングソリューション環境を提供することができる。
【０１６６】
また、実施の形態１によれば、電子ペーパーは繰返し書込みと消去が可能であるため、従来では作成資料の試し出力などで無駄にしていた紙資源を、大幅に削減することができる。
【０１６７】
さらに、実施の形態１によれば、情報処理装置（コンピュータ）から表示装置への指令情報に複写に関しての付属情報を持たせることで、表示装置側において、簡単な方法（画質劣化処理）にて複写する度に徐々に画像情報のコントラストを低下させて画質を劣化させることができ、かつ複写回数を制限させることができるので、複写などの行為に対して情報セキュリティや著作権の保護を確保する目的で多様な制約を課すことが可能になる。
【０１６８】
さらに、実施の形態１によれば、複写が完了する途中で、表示装置が移動され通信が不可能な状態になり、処理が中断した場合であっても、処理の途中の経過情報を管理することで、再度、表示装置を転送装置に近づけ通信が可能な状態になったときに、前記処理が中断したことにより未送信となっていた残りの複写情報のみを転送することができ、表示装置の動作（表示動作）の安定性を向上させることができる。
【０１６９】
（実施の形態２）
図１２は本発明の実施の形態２の電子ペーパーシステムの構成を示す概念図、図１３は図１２に示した転送装置の構成を示す構成図である。
【０１７０】
図１２において、電子ペーパーシステムは、３台の転送装置１と、６台の転送装置１００と、３台のＰＣ３とを備えている。
【０１７１】
図１２に示すように、１つの部屋が壁８で仕切られて、通路と部屋１と部屋２とが形成されている。部屋１には２つのテーブル７が配置され、部屋２には１つのテーブル７が配置されている。これらのテーブル７のそれぞれの上には、１台のＰＣ３と１台の転送装置１とが接続ケーブル５で接続された状態で載置されている。また、壁８には４台の転送装置１００が配設され、部屋の出入り口には２台の転送装置１００が配設されている。
【０１７２】
転送装置１００は、転送装置１とは異なる形態で、無線によりネットワークと接続できる機能を有する転送装置である。
【０１７３】
転送装置１およびＰＣ３は、実施の形態１の転送装置１およびＰＣ３と同様の構成および機能を有している。当然、複数（３台）のＰＣ３には、情報プログラム３０がインストールされている。ただし、１つの情報プログラム３０が全体を管理制御するマスターになり、他の情報プログラム３０は、マスターとして指定（設定）された情報プログラム３０と連携を取って、その支配下で動作する。これらの連携動作は、図７に示した「処理」のための動作ブロックＳ３０にて、行われる。
【０１７４】
図１３は転送装置１００の構成を示しており、この転送装置１００は、図２に示した実施の形態１の転送装置１の構成において、ＰＣインタフェース回路１３および蓄電池１６を削除し、無線通信インタフェース回路１１０、通信用アンテナ１２０および電源回路１３０を追加した構成になっている。なお、図１３において、図２に示す構成要素と同様の機能を果たす部分には同一の符号を付している。
【０１７５】
無線通信インタフェース回路１１０は、既知技術であるＢｌｕｅｔｏｏｔｈや無線ＬＡＮ等の無線通信に対応したインタフェースである。
【０１７６】
複数（６台）の転送装置１００は常時ネットワークに接続されている状態である。これらの転送装置１００の管理は、情報処理システムの全体を管理できるマスターとして指定（設定）されている情報プログラム３０が行う。実際にはこの情報プログラム３０を実行する処理装置３のＣＰＵなどの制御手段が行う。
【０１７７】
そのために、複数の転送装置１００のそれぞれに内蔵する記憶素子であるＲＯＭ／ＲＡＭ１２には、個別の識別情報ＩＤが設定される。この識別情報ＩＤを基に、情報プログラム３０は、複数の転送装置を識別することができる。
【０１７８】
なお、電源回路１３０は、乾電池や太陽電池などＡＣ電源を利用しない手段で構成することもできる。
【０１７９】
また、利用者や装置（転送装置、表示装置）と表示情報の制御や管理のための情報は、複数のＰＣ３間で連携して処理され一元管理されている。
【０１８０】
上述した電子ペーパーシステムでは、転送装置１により表示装置２と非接触で通信し、表示装置２を検知し、表示側の固体識別情報（固有の識別情報）を基に情報プログラム３０で認識させることにより、転送装置１が、表示装置２との間で非接触による通信により表示装置２の固体識別情報を取得し、この固体識別情報をＰＣ３へ通知し、一方、ＰＣ３が、情報プログラム３０を実行することで、前記固体識別情報、および予め設定・登録された情報や処理手順を示す情報に基づいて、表示装置２の所在管理や利用者への持ち出しに対する警告やその表示情報の制御や管理を行うことができる。
【０１８１】
例えば、別の場所に配置されている転送装置を経由して、その近くに配置された表示装置へ複写情報を表示させることができる。また、会議室に配置された転送装置へ事前に複写指令を行っておき、参加者の持ち込んだ表示装置を転送装置へかざした時点で、その表示装置へ情報を描画させることができる。
【０１８２】
さらに、指定エリア内で使用すべき表示装置がそのエリア外に持ち出された場合に、情報を消去させる指令をこの表示装置へ送り、画像を消去させることができる。また、指定エリアからの持ち出しや検出可能範囲内から表示装置が移動された場合などに対する事前に設定した警告処置に対して、転送装置１やＰＣ３から警告音をその場で発したり、表示装置２にて指定の時間が経過した後に表示情報を自動消去させたり、情報を更新させたりすることが可能となる。
【０１８３】
したがって、電子ペーパーとその表示情報の管理を電子ペーパーシステムにより組織的に使用できる広い利用環境を構築することができる。
【０１８４】
（実施の形態３）
図１４は本発明の実施の形態３における電子ペーパーシステムにおける表示装置の構成を示す構成図、図１５は図１４に示した表示装置の記録面を説明する図、図１６は図１４に示した表示装置に用いられる電子ペーパーへの書き込み動作を説明する図、図１７は電子ペーパーを説明する図、図１８は電子ペーパーを説明する図である。
【０１８５】
図１４に示す表示装置２は、図３に示した実施の形態１の表示装置２の構成において、表示部２７Ｂおよび電子ペーパー２００ａを削除し、記録面２７Ａ、電子ペーパー２００ｂおよび電極シート２０１を追加した構成になっている。図１４において、図３に示した構成要素と同様の機能を果たす部分には同一の符号を付している。
【０１８６】
なお、図１４の符号２Ｂで示される破線で囲まれた部分は、表示部以外の回路であり、１チップによるＩＣ化とすることができる。
【０１８７】
この実施の形態２では、表示装置２は、電子ペーパー２００ｂへの書き込みを２つの面で挟んで、記録を面で書き込めるようにしたものである。換言すれば、電子ペーパー２００ｂは、表示装置２に固定されたものではなく、表示装置２に着脱可能な独立したもので
ある。
【０１８８】
なお、表示装置２は、着脱可能な電子ペーパー２００ｂと、これ以外の構成要素つまりアンテナ２５、蓄電池２６、および符号２Ｂで示される破線で囲まれた部分で構成される装置本体とで構成されている。
【０１８９】
図１４において、記録面２７Ａは、その上面（電子ペーパー２００ｂと接触する面）には、図１５に示すように複数の画素電極２７ＡＳが配置されており、これら複数の電極２７ＡＳは記録制御回路（制御手段）２８と配線（図示せず）により接続されている。
【０１９０】
電極シート２０１の電子ペーパー２００ｂに触れる側の面には、電極２０１Ｓが配設されている。この電極シート２０１は、全面に透明電極を配した光透過性のあるシートであり、一方の辺側を支点（中心）として回動可能になっている。
【０１９１】
このような表示装置２では、記録面２７Ａ上に電子ペーパー２００ｂを置き、電極シート２０１で挟んだ状態で利用することになる。すなわち、図１６に示すように、記録面２７Ａ上に電子ペーパー２００ｂを置き、電極シート２０１で挟んだ状態で、この電極２０１Ｓと複数の画素電極２７ＡＳとの間に任意の電圧を加えることで、電界を発生させて、電子ペーパー２００ｂへ書込みを行う。なお、図１６は、図１５のＢ−Ｂ’断面の断面図を示している。
【０１９２】
次に、電子ペーパー２００ｂの応用例としての電子ペーパー２００ｃについて図１７および図１８を参照して説明する。
【０１９３】
電子ペーパー２００ｃは、図１７に示すように、マイクロカプセル２００Ｍを含む表示領域２００ｐの外側に（図１８参照）、無線タグ２１０がマイクロカプセル２００Ｍと同様にシート２００Ｓの間にバインダー２００Ｔで接着され挟み込まれている。なお、図１７は、さらに詳しく説明すると図１８のＣ−Ｃ’断面の断面図を示している。
【０１９４】
ＲＦＩＤとして既知の無線タグ２１０は、図１４の表示装置２に示すＣＰＵ２１、ＲＯＭ／ＲＡＭ２２、ＲＦ変換回路２３、ＡＣ／ＤＣ変換回路２４、アンテナ２５、蓄電池２６と同様の機能を有する回路ブロックで構成され、ゴマ粒程の小型のものが実用化されている。
【０１９５】
この無線タグ２１０は、直接的に、転送装置１との間で無線通信を行う、または表示装置２との間で無線通信を行う、またはスキャナ４に内蔵したタグリーダー（図示せず）との間で無線通信を行う、ようにすることができる。
【０１９６】
電子ペーパー２００ｃへの書き込みは、図１６に示した電子ペーパー２００ｂへ書き込みの場合と同様にして実施される。
【０１９７】
なお、本実施の形態３において、電子ペーパー２００ｃに１つの無線タグを搭載するようにしたが、本発明はこれに限定されることなく、複数個の無線タグや異なる無線周波数に対応した複数種類の無線タグを搭載するようにしても良い。この場合、複数の電子ペーパーの同時検出性能を向上させることができる。
【０１９８】
また、本実施の形態３において、電子ペーパー２００ｃに、半導体チップにより構成された無線タグ２１０を内蔵させるようにしているが、本発明はこれに限定されることなく、有機半導体による回路パターン（無線タグ２１０の機能を有する回路パターン）をシート２００Ｓ上にパターン化するようにしても良い。この場合、厚みの均一な電子ペーパー
が可能となる。
【０１９９】
さらには、複数個の無線タグや異なる無線周波数に対応した複数種類の無線タグを、有機半導体による回路パターンをシート２００Ｓ上にパターン化するようにしても良い。この場合、複数の電子ペーパーの同時検出性能を向上させることができ、厚みの均一な電子ペーパーが可能となる。
【０２００】
上述した電子ペーパーシステムによれば、表示装置２は、記録面２７Ａと透明な電極シート２０１とで電子ペーパー２００ｃを挟んだ状態のままで情報を見ることと持ち運ぶことができるので、電子ペーパー２００ｃがめくれることなく使用できるという利便性の向上を図ることができる。
【０２０１】
これに類似して、文房具のクリアファイルに資料を挟んで持ち運ぶという形態が一般的によく利用されているが、この従来の利便性に加えて、電子ペーパー２００ｃへの表示が書換え可能であることから、持ち運ぶ紙の量を減らせることができる。さらに、記録後の電子ペーパー２００ｃを取り出して見ることができることから、使用者は持ち上げるときに、より軽量なので、表示装置２を持ち上げて見る場合と比較して、その疲労感を軽減することができる。
【０２０２】
さらに、電子ペーパー２００ｃが表示装置２から着脱できる仕様の場合においても、取り外した電子ペーパー２００ｃとその情報管理が、表示装置２に監視目的で搭載した着脱機構なしで可能となる。
【０２０３】
さらに、スキャナ４で電子ペーパー２００ｃを読み取る場合では、電子ペーパー２００ｃに付随したタグ情報も画像データと同時に読取ることができるので、このタグ情報を基に情報の一元管理や複写制限を実効することができ、情報の一元管理や複写制限をなどの継続性が保たれる。
【０２０４】
例えば、無線タグ２１０にタグ情報として画質劣化率を設定しておくことで、スキャナ４が、電子ペーパー２００ｃをスキャンして、読み取った画像データをＰＣ３へ出力する前に、無線タグ２１０から読み取ったタグ情報（画質劣化率）を基に、当該画像データを当該画質劣化率に基づいて画質劣化処理を施すことで複写回数が多くなるに従って画質が劣化するので、複写制限に制約を持たせることができる。
【０２０５】
また、例えば、無線タグ２１０にタグ情報として複写禁止の旨を設定しておくことで、スキャナ４が、電子ペーパー２００ｃをスキャンして、無線タグ２１０のタグ情報を読み取り、このタグ情報を基に画像読み取りを禁止するとともに、著作権違反であるといった警告を出力することも可能となる。
【０２０６】
（実施の形態４）
図１９は本発明の実施の形態４における電子ペーパーシステムの表示装置の構成を示す構成図、図２０は電子ペーパーを説明する図、図２１は電子ペーパーを説明する図、図２２は電子ペーパーへの書き込みを説明する図である。
【０２０７】
図１９に示す表示装置２は、図３に示した実施の形態１の表示装置２の構成において、表示部２７Ｂおよび電子ペーパー２００ａを削除し、記録ヘッド２７、駆動用モータ２９、モータ駆動回路２９Ｃ、電子ペーパー２００ｂおよび共通電極２０２を追加した構成になっている。図１９において、図３に示した構成要素と同様の機能を果たす部分には同一の符号を付している。
【０２０８】
上述した実施の形態１〜３の表示装置２では電子ペーパー２００ｂへの書き込みを面単位で書き込めるのに対し、この実施の形態３の表示装置２は電子ペーパー２００ｂへの書き込みを線単位（ライン単位）で書き込めるようにしたものである。
【０２０９】
なお、表示装置２は、着脱可能な電子ペーパー２００ｂと、これ以外の構成要素つまりアンテナ２５、蓄電池２６、記録制御回路（制御手段）２８、駆動用モータ２９、モータ駆動回路２９Ｃおよび符号２０で示される破線で囲まれた部分で構成される装置本体とで構成されている。
【０２１０】
図１９において、記録ヘッド２７は、電子ペーパー２００ｂに接触し共通電極２０２と挟んだ状態で電子ペーパー２００ｂへ電界を印加するための複数の画素電極を有したライン型の記録ヘッドである。
【０２１１】
記録制御回路２８は、記録ヘッド２７の画素電極へ電圧を印加するためのものである。駆動用モータ２９は、搬送機構（図示せず）によって記録ヘッド２７を移動させるためのものである。モータ駆動回路２９Ｃは、駆動用モータ２９の動作を制御するためのものである。
【０２１２】
電子ペーパー２００ｂは、図２０に示すように、電子インク機能を有するマイクロカプセル２００Ｍと、これを挟むための光透過性のあるシート２００Ｓと、マイクロカプセル２００Ｍおよびシート２００Ｓを接合するための非導電性のバインダー２００Ｔとで構成されている。なお、図２０は、さらに詳しく説明すると図２１に示すＤ−Ｄ’断面の断面図を示している。
【０２１３】
電子ペーパー２００ｂへの画像書き込み動作について図２２を参照して説明する。
【０２１４】
図２２に示すように、記録制御回路２８が、画素電極２７Ｓと共通電極２０２間に印加する電圧として、正の電圧（＋Ｖ）と負の電圧（−Ｖ）とを切り替えることで、電子ペーパー２００ｂへの情報の書き込みおよび消去を行うことができる。ここでは、情報の書き込み時は正の電圧（＋Ｖ）が印加されるもとする。
【０２１５】
さて、画素電極をライン状に配列した記録ヘッド２７の１つの画素電極２７Ｓに、記録制御回路２８によって切り替えられた正の電圧（＋Ｖ）を印加すると、マイクロカプセル２００Ｍ内の帯電粒子２００Ｋおよび帯電粒子２００Ｗが電気泳動する。
【０２１６】
これにより、電子ペーパー２００ｂにおける記録ヘッド２７の書き込み面（下側）に対向する部位に表示画像がライン状に書き込まれる。
【０２１７】
このようにして書き込みが終了したら、記録ヘッド２７を図２２中符号２２０で示される矢印の方向へ移動させて次のラインに対して表示画像を記録することで、電子ペーパー２００ｂの全体面に表示画像を書き込むことができる。
【０２１８】
すなわち、記録ヘッド２７を、図１９および図２２において、符号Ｘの位置から符号Ｙの位置の方向に移動させることで、電子ペーパー２００ｂの全体面に表示画像を書き込むことができる。
【０２１９】
なお、本実施の形態４において、電子ペーパー２００ｂの両面を透明なシート２００Ｓとしたが、本発明はこれに限定されることなく、片方を不透過のシートや金属を蒸着させたシートであってもよい。また、電子ペーパーは、無線タグを内蔵した電子ペーパー２００ｂを利用することもできる（図１７、図１８参照）。
【０２２０】
また、本実施の形態４において、搬送機構（図示せず）で記録ヘッド２７を移動させるようにしているが、本発明はこれに限定されることなく、記録ヘッド２７の位置を固定して、電子ペーパー２００ｂを搬送機構（図示せず）で移動させるようにすることも可能である。
【０２２１】
上述した電子ペーパーシステムによれば、表示装置２では、電子ペーパーの書込み部を安価に作製することができる。
【０２２２】
（実施の形態５）
上述した実施の形態３の表示装置２（図１４参照）および実施の形態４の表示装置２（図１９参照）では、電子表示デバイスである電子ペーパー２００ｂを、表示装置２から着脱可能な構造で１枚（１シート）のみをセットするようになっているが、次のようにすることもできる。
【０２２３】
すなわち、複数の電子ペーパーを個別に着脱することができる構造にすることができる。また、大きさの異なる複数の電子ペーパーを個別に着脱することができるようにすることができる。さらに、電子ペーパーが表示装置２に固定されて着脱することができない構造や、表示装置２に所定の情報を記憶する記憶手段を内蔵させることができる。
【０２２４】
このような電子ペーパーシステムによれば、表示装置２は、より多くの情報（表示情報）を一度に表示させることができ、手軽に必要な情報のみを携帯させることができる。また、表示装置２に内蔵された記憶手段に、受信した表示情報および管理情報を保存するようにして、情報の書込みおよび消去と表示管理とを表示装置２だけで行えるので、より多くの情報を単独で表示させることが可能となる。
【０２２５】
（実施の形態６）
上述した実施の形態４の表示装置２（図１９参照）では、記録ヘッド２７を電子ペーパー２００ｂに対して移動させて書き込みを行うようにしているが、サーマルプリンタのように記録ヘッド２７を固定にして電子ペーパー２００ｂを搬送（移動）させるようにすることもできる。
【０２２６】
このような電子ペーパーシステムによれば、表示装置２をより小型化にすることができる。
【０２２７】
（実施の形態７）
上述した実施の形態１の転送装置１（図２参照）および実施の形態２の転送装置１（図１３参照）に、液晶ディスプレイなどの表示機能手段を設けるようにしても良い。
【０２２８】
このような電子ペーパーシステムによれば、転送装置によって、利用者への警告や注意などに対して、より多くの情報提供や指示が可能となり、利便性を大幅に向上させることができる。
【０２２９】
（実施の形態８）
上述した実施の形態１の転送装置１（図２参照）および実施の形態２の転送装置１（図１３参照）に、ブザー１８に加えて、利用者へ認知させる振動や光による点滅など報知手段を設けるようにすることもできる。また、パーソナルコンピュータ（ＰＣ３）において、ＰＣ３が有するブザーでの警告音やディスプレイ画面への警告表示によって警告を提供することも可能である。さらに、表示装置による電子ペーパー部への書き込みで警告を提供することもできる。
【０２３０】
このような電子ペーパーシステムによれば、警告などの情報に関しての利用者の認知をさらに向上させることができる。
【０２３１】
（実施の形態９）
上述した実施の形態１の表示装置（図４参照）、実施の形態３の表示装置（図１４参照）および実施の形態４の表示装置（図１９参照）において、電子ペーパーへの情報の書き込みを行う記録部は、有機半導体により回路を構成することができる。
【０２３２】
特に、図５に示したスイッチング素子２７ＢＴは有機系電界効果トランジスタを用いることが望ましい。
【０２３３】
例えば、導電性高分子であるＰＥＤＯＴ（ｐｏｌｙ−ｅｔｈｙｌｅｎｅｄｉｏｘｙｔｈｉｏｐｈｅｎｅ）をインクジェット法で描画して、ソース、ドレインおよびゲートを形成し、次に、ソースとドレイン上には膜圧を３０ｎｍ以下にした共役系高分子の半導体層をスピンコート法で形成するとともに、その上には膜圧５００ｎｍの高分子絶縁体層をスピンコート法で形成し、さらに、その上にゲートを形成することで、トップゲート構造のＴＦＴ（薄膜トランジスタ）を実現することができる。
【０２３４】
このような電子ペーパーシステムによれば、表示装置２もしくは、電子ペーパーをより薄型に軽量化することが可能となる。
【０２３５】
（実施の形態１０）
上述した転送装置１、表示装置２およびスキャナ４に搭載したアンテナは、有機材料により構成することができる。
【０２３６】
例えば、アンテナは、金属版、磁性体および導体パターンで構成される。転送装置１におけるテーブルと対向する面（テーブルに置く側の面）からは不要な電磁界の放射を防止するため、アンテナ部の片面にアルミなどの金属シートを用いる。その上に、磁性材もしくは、磁性材、誘電体の無機材料と高分子有機材料とを混合したハイブリッド材料をプレス等により積層する。さらにその上に、インクジェット法により抵抗値の極めて低い導電性の高い有機材料でアンテナパターンを形成し、シート状のアンテナを作製する。
【０２３７】
このシート状のアンテナにおいて、アンテナパターンの端部に接触させるように、周辺回路を内蔵させたＩＣチップを搭載することで、装置を構成する。
【０２３８】
なお、表示装置２のアンテナでは、上記シールド用の金属シート（金属板）は無くても良い。
【０２３９】
転送装置と表示装置との間で非接触にて電力伝送を行う場合は、１００ｋＨｚ以上の高い周波数で送受電を行うことで、有機材料の使用が可能になり、電力伝送効率を向上させることができる。
【０２４０】
なお、非接触にて電力伝送を転送装置と表示装置間で行う場合は、電磁誘導を利用することができるが、一般的に、ＰＨＳ端末や電気カミソリに使用されているコイルによるアンテナでは、その電力伝送効率は２０〜３０％程度と低く、かつ、取り出し電圧を高めるために巻き数を多くしたコイルがフェライトコアに巻かれているため、アンテナ自身が大きくなっていた。
【０２４１】
このような電子ペーパーシステムによれば、転送装置１や表示装置２をより小型化・薄
型化にすることができ、より一層の軽量化を図ることが可能となる。
【０２４２】
（実施の形態１１）
図２３は本発明の実施の形態１１における電子ペーパーシステムの表示装置２の構成を示す構成図である。
【０２４３】
上述した転送装置１や表示装置２に搭載したアンテナや無線タグは、１種類で構成されているが、異なる無線方式を利用するように、異なる複数のアンテナや無線タグで構成するようにしても良い。
【０２４４】
図２３は、表示装置２に２種類のアンテナを構成した概要図を示している。図２３において、ＩＣ２Ｃは図３で示した回路ブロック（符号２Ｃで示される破線で囲まれた部分）に相当するＩＣである。アンテナ２５Ｓは転送装置１との間で通信を行うためのものである。アンテナ２５Ｐは転送装置１からの電力供給を受けるためのものである。電力用のアンテナ２５Ｐは、大面積化ができるように表示部の周囲に配置するようにしている。
【０２４５】
ここで、これらアンテナ２５Ｓ、２５Ｐはシートの上に金属材料もしくは有機材料をパターン化し、表示部に使用するマイクロカプセル等の表示媒体と同じの層に蒸着や塗布にて構成することができる。また、蓄電池は、シート状のキャパシタをシートの下面に配設することができる。
【０２４６】
なお、図２３に示す例では、表示部の周辺部にアンテナを配置するようにしているが、特に、電子ペーパーがロイコ紙のように熱記録する方式などの場合では、シートの裏面全体にアンテナを設けるようにすることも可能である。
【０２４７】
このような電子ペーパーシステムによれば、転送装置１や表示装置２の電力伝送効率の向上と装置の薄型化が可能となる。また、通信時間の短縮化を図ることが可能となる。
【０２４８】
（実施の形態１２）
上述した表示装置２は、蓄電池の残量検出手段を備えるようにしても良い。また、電子ペーパーの表示部の一部、あるいは別に設けた専用の表示部に、残量検出手段による残量検出の結果や転送装置との通信接続状態や受電感度などのステータス情報を表示させるようにしても良い。
【０２４９】
このような電子ペーパーシステムによれば、表示装置２の利用において、表示書換えのページ数や速度予測、さらには転送装置との通信状況を把握することでき、表示装置の利用位置の確認や携帯時の利用性向上が可能となる。
【０２５０】
（実施の形態１３）
上述したスキャナ４は、転送装置と同等か、または、無線タグのリーダー機能を搭載し、さらに、読取り画像を加工処理できる機能とネットワークに接続できる機能とを備えるようにしても良い。
【０２５１】
このような電子ペーパーシステムによれば、複写制限などの制約情報をタグ情報として記憶している無線タグを付属させたペーパーや、前記無線タグを有する取外し可能な電子ペーパーに記録された画像をスキャナで光学的に読取り複写しようとしても、複写制限などの制約をタグから引継ぐことで、直接、画像情報を加工処理することができる。
【０２５２】
また、スキャナが、読取ったタグ情報をパーソナルコンピュータ（の情報プログラム）へ送ることで、タグ情報とパーソナルコンピュータに組み込まれたデータベース情報との
連携が可能となり、著作権維持やセキュリティ管理の範囲を大幅に拡大させることが可能となる。これにより、様々なソリューションに対応することができる仕組みを構築することができる。
【０２５３】
なお、上述した電子ペーパーでは、電界で表示する電気泳動方式についての動作を説明したが、電子ペーパーの表示媒体は液晶などの、電界で表示が制御でき、表示を無電力で保持できるような他の方式を用いることも可能であるということは、当然である。
【産業上の利用可能性】
【０２５４】
本発明は、可搬性の高い表示装置に情報を表示することができ、しかも画像入力の管理、表示する画像や情報の管理、および表示装置もしくは電子ペーパーの管理を行うことができるので、情報の複写や配布を簡単に行うことができ、かつ無駄な紙出力の削減と紙では不可能であった出力情報のセキュリティ管理を実現する装置あるいは情報処理システムに適用することができる。
【図面の簡単な説明】
【０２５５】
【図１】本発明の実施の形態１における電子ペーパーシステムの基本的な構成を示す構成図
【図２】図１に示した転送装置の構成を示す構成図
【図３】図１に示した表示装置の構成を示す構成図
【図４】図１に示した電子ペーパーを説明する図
【図５】図１に示した電子ペーパーを説明する図
【図６】図１に示した電子ペーパーを説明する図
【図７】情報プログラムの実行による状態の遷移を示す図
【図８】図１に示した電子ペーパーシステムの処理動作を示すフローチャート
【図９】図１に示したパーソナルコンピュータから送信される情報のフォーマットの一例を示す図
【図１０】画像データを説明する図
【図１１】画像劣化処理動作を示すフローチャート
【図１２】本発明の実施の形態２の電子ペーパーシステムの構成を示す概念図
【図１３】図１２に示した転送装置の構成を示す構成図
【図１４】本発明の実施の形態３における電子ペーパーシステムにおける表示装置の構成を示す構成図
【図１５】図１４に示した表示装置の記録面を説明する図
【図１６】図１４に示した表示装置に用いられる電子ペーパーへの書き込み動作を説明する図
【図１７】電子ペーパーを説明する図
【図１８】電子ペーパーを説明する図
【図１９】本発明の実施の形態４における電子ペーパーシステムの表示装置の構成を示す構成図
【図２０】電子ペーパーを説明する図
【図２１】電子ペーパーを説明する図
【図２２】電子ペーパーへの書き込みを説明する図
【図２３】本発明の実施の形態１１における電子ペーパーシステムの表示装置２の構成を示す構成図
【符号の説明】
【０２５６】
１，１００    転送装置
２    表示装置
３    パーソナルコンピュータ（処理装置）
４    スキャナ（画像読取り装置）
５    接続ケーブル
７    テーブル
８    壁
１１，２１    ＣＰＵ
１２，２２    ＲＯＭ／ＲＡＭ
１３    パーソナルコンピュータインタフェース回路
１４    アンテナ駆動回路
１５    アンテナ（送信手段）
１６    蓄電池
１８    ブザー（警告手段）
１９    電源回路
２３    Ｒ／Ｆ回路
２４    ＡＣ／ＤＣ変換回路（変換手段）
２５，２５Ｐ    アンテナ（受信手段）
２５Ｓ    アンテナ
２６    蓄電池（蓄積手段）
２７    記録ヘッド
２７Ｂ    表示部
２７Ｓ，２７ＢＳ    画素電極
２７ＢＴ    スイッチング素子
２７Ｒ    ソースライン
２７Ｃ    ゲートライン
２８    記録制御回路（制御手段）
２９    駆動用モータ
２９Ｃ    モータ制御回路
３０    情報プログラム
１１０    無線通信インタフェース
１２０    通信用アンテナ
１３０    電源部
２００ａ，２００ｂ，２００ｃ    電子ペーパー（電子表示デバイス）
２００Ｓ    シート
２００Ｍ    マイクロカプセル
２００Ｔ    バインダー
２０１    電極シート
２０２    共通電極
２１０    無線タグ
【図１】
2006039708.tif 000003
【図２】
2006039708.tif 000004
【図３】
2006039708.tif 000005
【図４】
2006039708.tif 000006
【図５】
2006039708.tif 000007
【図６】
2006039708.tif 000008
【図７】
2006039708.tif 000009
【図８】
2006039708.tif 000010
【図９】
2006039708.tif 000011
【図１０】
2006039708.tif 000012
【図１１】
2006039708.tif 000013
【図１２】
2006039708.tif 000014
【図１３】
2006039708.tif 000015
【図１４】
2006039708.tif 000016
【図１５】
2006039708.tif 000017
【図１６】
2006039708.tif 000018
【図１７】
2006039708.tif 000019
【図１８】
2006039708.tif 000020
【図１９】
2006039708.tif 000021
【図２０】
2006039708.tif 000022
【図２１】
2006039708.tif 000023
【図２２】
2006039708.tif 000024
【図２３】
2006039708.tif 000025